(57)【特許請求の範囲】
【請求項１】
背もたれ部と、座面部と、前記座面部の左右両側に配置された肘掛け部とを備えるソファーの外周を覆うように装着させて用いるソファーカバーであって、
前記ソファーカバーは、伸縮性を有する生地で構成され、
前記座面部と前記肘掛け部との隙間に押し込まれる両側押込み部の裏面であって、前記座面部の前方側に取付けられた第１連結帯と、
前記背もたれ部を覆う背面カバー部の、前記肘掛け部後方に位置する下縁部に取付けられた第２連結帯とを備えていることを特徴とするソファーカバー。
【請求項２】
前記座面部と前記肘掛け部との隙間に押し込まれる両側押込み部、及び／又は、前記座面部と前記背もたれ部の隙間に押し込まれる背面側押込み部であって、前記背もたれ部と前記座面部と前記肘掛け部とが交わる角部近傍に位置する裏面に取付けられた、抜け止め部材保持部を更に有し、該抜け止め部材保持部に抜け止め部材を保持させて、前記角部近傍の隙間に挿入できるように構成されている請求項１に記載のソファーカバー。
【請求項３】
前記背もたれ部と前記座面部との隙間に押し込まれる背面側押込み部であって、前記角部から離れた部分の裏面にも、前記抜け止め部材保持部が設けられている請求項２記載のソファーカバー。
【発明の詳細な説明】
【技術分野】
【０００１】
本発明は、背もたれ部と、座面部と、座面部の左右両側に配置された肘掛け部とを備えるソファーの外周を覆うように装着させて用いるソファーカバーに関する。
【背景技術】
【０００２】
ソファーを汚れや傷み等から保護したり、ソファー自体の美的外観を使用者の好みに合わせて変えるために、ソファーにソファーカバーをかぶせることが行われている。
【０００３】
また、長時間ソファーを使用していると、ソファーカバーがズレ動いてしまうことがあるため、特許文献１，２に開示されるように、背もたれ部と座面部との継ぎ目の隙間や、肘掛け部と座面部との継ぎ目の隙間に、棒状の抜け止め部材などを押し込んで、ソファーカバーのズレを防止することが従来より行われている。
【先行技術文献】
【特許文献】
【０００４】
【特許文献１】特開２００１−２９１８４号公報
【特許文献２】実開平７−３９６１２号公報
【発明の概要】
【発明が解決しようとする課題】
【０００５】
しかしながら、背もたれ部と座面部との継ぎ目の隙間や、肘掛け部と座面部との継ぎ目の隙間に抜け止め部材を挿入しても、ソファーに着座した際に、座面部のたわみにソファーカバーが引っ張られて、上記隙間から抜け止め部材が飛び出てしまうことがあり、ソファーカバーのズレを抑制できないことがあった。
【０００６】
よって、本発明の目的は、ソファーにかぶせて使用した際に、ズレが生じ難いソファーカバーを提供することにある。
【課題を解決するための手段】
【０００７】
上記目的を達成するに当たり、本発明のソファーカバーは、背もたれ部と、座面部と、前記座面部の左右両側に配置された肘掛け部とを備えるソファーの外周を覆うように装着させて用いるソファーカバーであって、前記ソファーカバーは、伸縮性を有する生地で構成され、前記座面部と前記肘掛け部との隙間に押し込まれる両側押込み部の裏面であって、前記座面部の前方側に取付けられた第１連結帯と、前記背もたれ部を覆う背面カバー部の、前記肘掛け部後方に位置する下縁部に取付けられた第２連結帯とを備えていることを特徴とする。
【０００８】
本発明のソファーカバーによれば、第１連結帯をソファー前方の対応する脚部に連結したり、第１連結帯と、背面側に配置された第２連結帯とを、ソファーの底面側で連結することにより、座面部と肘掛け部との隙間に押し込まれる両側押込み部が浮き上がるのを防止して、ソファーカバーがソファーにフィットして装着された状態を長期に亘って維持することができる。
【０００９】
本発明のソファーカバーは、前記座面部と前記肘掛け部との隙間に押し込まれる両側押込み部、及び／又は前記座面部と前記背もたれ部の隙間に押し込まれる背面側押込み部であって、前記背もたれ部と前記座面部と前記肘掛け部とが交わる角部近傍に位置する裏面に取付けられた、抜け止め部材保持部を更に有し、該抜け止め部材保持部に抜け止め部材を保持させて、前記角部近傍の隙間に挿入できるように構成されていることが好ましい。この態様によれば、抜け止め部材保持部に、例えば筒状、棒状等の形状をなす抜け止め部材を保持させて、角部近傍の隙間に押し込むことによって、ソファーカバーをよりソファーにフィットさせて装着することができ、長期使用におけるソファーカバーの浮き上がりをより効果的に防止できる。
【００１０】
本発明のソファーカバーは、前記背もたれ部と前記座面部との隙間に押し込まれる背面側押込み部であって、前記角部から離れた部分の裏面にも、前記抜け止め部材保持部が設けられていることが好ましい。この態様によれば、背面側押込み部がより浮き上がり難くなるので、長期使用におけるソファーカバーの浮き上がりをより効果的に防止できる。
【発明の効果】
【００１１】
本発明のソファーカバーは、ソファーの座面部と肘掛け部との隙間に押し込まれる両側押込み部の裏面であって、座面部の前方側に取付けられた第１連結帯と、背もたれ部を覆う背面カバー部の、肘掛け部後方に位置する下縁部に取付けられた第２連結帯とを備えているので、第１連結帯をソファー前方の対応する脚部に連結したり、第１連結帯と、背面側に配置された第２連結帯とを、ソファーの底面側で連結することにより、座面部と肘掛け部との隙間に押し込まれる両側押込み部が浮き上がるのを防止して、ソファーカバーがソファーにフィットして装着された状態を長期に亘って維持することができる。
【図面の簡単な説明】
【００１２】
【図１】本発明のソファーカバーをソファーにかぶせる状態を示す図である。
【図２】本発明のソファーカバーの使用状態を示す概略図である。
【図３】本発明のソファーカバーの他の使用状態を示す概略図である。
【発明を実施するための形態】
【００１３】
以下、図面を参照して、本発明のソファーカバーの実施形態を説明する。
【００１４】
図１，２に示すように、本発明のソファーカバー１０は、背もたれ部２と、座面部３と、座面部３の左右両側に配置された肘掛け部４，４とを備えるソファー１の外周を覆うように装着させて用いるものである。すなわち、ソファーカバー１０は、座面部３を覆う座面カバー部１２と、背もたれ部２を覆う背面カバー部１４と、肘掛け部４、４を覆う肘掛けカバー部２１とを有している。なお、ソファー１の底面は覆わなくてもよく、少なくとも底面を除く外周を覆うように形成されたものであればよい。
【００１５】
このソファーカバー１０は、ソファー１の外周を覆うように装着されたとき、ソファー１の座面部３と肘掛け部４との隙間に押し込まれる両側押込み部１１と、ソファーの座面部３と背もたれ部２の隙間に押し込まれる背面側押込み部１６とを有している。
【００１６】
そして、このソファーカバー１０は、ソファー１の座面部３と肘掛け部４との隙間に押し込まれる両側押込み部１１の裏面であって、ソファーの座面部３を覆う座面カバー部１２の前方側の部分Ａ，Ａに第１連結帯１３，１３が取り付けられている。
【００１７】
また、ソファーの背もたれ部２を覆う背面カバー部１４の、肘掛け部後方に位置する下縁部Ｂ，Ｂには、第２連結帯１５，１５が取り付けられている。
【００１８】
第１連結帯１３、第２連結帯１５としては、例えば結束可能な紐体が好適に用いられるが、その他、先端部にクリップや、フックや、面ファスナ等の連結手段が取付けられたベルト等であってもよい。また、紐体の先端部が２本に分かれたものや、紐体の先端にループが形成されたもの等であってもよい。更に、第１連結帯１３、第２連結帯１５は伸縮可能な弾性を有するものであってもよい。
【００１９】
ソファーの座面部３と肘掛け部４との隙間に押し込まれる両側押込み部１１、及び／又は、ソファーの座面部３と背もたれ部２の隙間に押し込まれる背面側押込み部１６であって、背もたれ部２と座面部３と肘掛け部４とが交わる角部５近傍に位置する裏面Ｃ，Ｃには、抜け止め部材保持部１７が取り付けられている。ここで、角部５の近傍に位置するとは、角部５から１５ｃｍ以内の領域を意味するものとする。上記抜け止め部材保持部１７は、角部５の近傍であれば、両側押込み部１１に取付けられていてもよく、背面側押込み部１６に取付けられていてもよく、両者に取付けられていてもよいが、特に、背もたれ部２と座面部３と肘掛け部４とが交わる角部５に位置する裏面に設けられていることが好ましい。
【００２０】
なお、この実施形態では、抜け止め部材保持部１７は、２本の紐体で構成されているが、３本以上の紐体で構成されていても良く、１本の紐体であってもよい。また、紐体の先端側が２以上に分岐していてもよい。また、抜け止め部材保持部１７は、後述する抜け止め部材２０を保持できるものであればよく、紐体に限定されず、例えば、抜け止め部材２０を収容する袋体や筒体等であってもよい。更には、抜け止め部材保持部１７を介して、抜け止め部材２０が最初から取付けられていてもよい。
【００２１】
抜け止め部材保持部１７に保持される抜け止め部材２０としては、両側押込み部１１又は背面側押込み部１６に押し込まれたとき、ソファーカバー１０が引っ張られても抜けにくくする効果を付与できるものであればよく、特に限定されないが、例えば適当な太さ及び長さの筒体、棒状体が好ましく用いられ、特に、織布、不織布、発泡体などのクッション性のある材料を、筒状または棒状に成形したものが好ましく用いられる。その他、例えばタオル等を抜け止め部材保持部１７で縛って用いることもできる。
【００２２】
また、この実施形態では、抜け止め部材保持部１７は、角部５近傍に位置するソファーカバーの裏面にのみ設けられているが、背面側押込み部１６であって、角部５から離れた部分の裏面にも、抜け止め部材保持部が設けられていてもよい。角部５から離れた部分にも抜け止め部材保持部を設けることで、背面側押込み部１６を、背もたれ部２と座面部３との隙間にしっかりと押込むことができ、ソファーカバーをソファーの形状によりフィットさせてかぶせることができる。
【００２３】
本発明において、ソファーカバー１０の材質は、特に限定は無いが、ポリエステル繊維や、ポリウレタン繊維等の伸縮性を有する繊維で紡糸した、織生地や編み生地等を用いてソファーカバー１０に伸縮性を持たせることが好ましい。ソファーカバー１０が伸縮性を有することにより、幅広いサイズのソファーに対してソファーカバー１０を使用することが可能となり、汎用性を高めることができる。
【００２４】
次に、本発明のソファーカバーの取り付け方法について説明する。
【００２５】
まず、抜け止め部材保持部１７に、抜け止め部材２０を保持させる。抜け止め部材２０の保持方法は、特に限定はなく、例えば抜け止め部材保持部１７が紐体で構成される場合は、抜け止め部材２０を抜け止め部材保持部１７で縛って保持する方法等が挙げられる。その他、前述したように、抜け止め部材保持部１７が袋状、筒状等をなしていて、そこに抜け止め部材２０を挿入してもよく、あるいは抜け止め部材保持部１７に最初から抜け止め部材２０が取付けられていてもよい。ただし、本発明において、抜け止め部材保持部１７は、必ずしも必要なものではない。
【００２６】
次に、ソファーカバー１０を、ソファー１の底面を除く外周を覆うように装着する。すなわち、座面カバー部１２で座面部３を覆い、背面カバー部１４で背もたれ部２を覆い、肘掛けカバー部２１で肘掛け部４、４を覆うように装着する。
【００２７】
次に、ソファーカバー１０の両側押込み部１１を、ソファー１の座面部３と肘掛け部４との隙間に押し込み、背面側押込み部１６を、ソファー１の背もたれ部２と座面部３との隙間に押し込む。このとき、抜け止め部材保持部１７に保持させた抜け止め部材２０を、背もたれ部２と座面部３と肘掛け部４とが交わる角部５近傍に挿入する。また、背面側押込み部１６の角部５から離れた部分にも抜け止め部材保持部が設けられている場合には、該抜け止め部材保持部に取付けた抜け止め部材２０を、背もたれ部２と座面部３との隙間に挿入する。
【００２８】
そして、ソファーカバー１０の第１連結帯１３を、ソファー前方の対応する脚部６ａに連結する。また、ソファーカバー１０の第２連結帯１５を、ソファー後方の対応する脚部６ｂに連結する。
【００２９】
このようにして、図２に示すような状態でソファーカバーをソファーに取り付けることができる。
【００３０】
このソファーカバーは、ソファー１の座面部３と肘掛け部４との隙間に、ソファーカバーの両側押込み部１１を押し込み、第１連結帯１３がソファー前方の対応する脚部６ａに連結することで、ソファーカバー１０の両側押込み部１１，１１が、ソファー１の座面部３と肘掛け部４との隙間にしっかりと押込まれて、浮き上がり難くなり、長期にわたってソファーのズレ動きを防止できる。
【００３１】
そして、この実施形態では、抜け止め部材２０が、ソファー１の角部５の近傍に挿入されているので、ソファーカバーの両側押込み部１１や背面側押込み部１６の浮き上がりをより効果的に防止でき、ソファーカバーをソファーの形状によりフィットさせて装着することができる。
【００３２】
なお、図２では、ソファーカバーの第２連結帯１５を、ソファー後方の対応する脚部６ｂに連結しているが、第２連結帯１５がソファーカバー１０の外側にはみ出さないように、ソファー１とソファーカバー１０との間に押込んで収容してもよい。
【００３３】
上記実施形態では、ソファー１が脚部を有するものであったが、本発明のソファーカバー１０は、図３に示すように、脚部を有しないソファーにも適用できる。この場合には、第１連結帯１３を、ソファー前方の対応する脚部６ａに連結する代わりに、第１連結帯１３と第２連結帯１５とをソファーの底面側で連結することにより、ソファーカバー１０の両側押込み部１１，１１が、ソファー１の座面部３と肘掛け部４との隙間にしっかりと押込まれて、浮き上がりにくくすることができる。
【符号の説明】
【００３４】
１：ソファー
２：背もたれ部
３：座面部
４：肘掛け部
５：角部
６ａ，６ｂ：脚部
１０：ソファーカバー
１１：両側押込み部
１２：座面カバー部
１３：第１連結帯
１４：背面カバー部
１５：第２連結帯
１６：背面側押込み部
１７：取付け部材保持部
２０：抜け止め部材
【要約】
【課題】ソファーにかぶせて使用した際に、ズレが生じ難いソファーカバーを提供する。
【解決手段】このソファーカバー１０は、ソファー１の座面部３と肘掛け部４との隙間に押し込まれる両側押込み部１１の裏面であって、座面部の前方側に取付けられた第１連結帯１３と、ソファーの背もたれ部を覆う背面カバー部１４の、肘掛け部後方に位置する下縁部に取付けられた第２連結帯１５とを備えている。
【選択図】図１【図１】
0005398931.tif 000002
【図２】
0005398931.tif 000003
【図３】
0005398931.tif 000004